(57)【特許請求の範囲】
【請求項１】
飛翔虫を殺すための誘引ステーションであって、
ａ．暗色の表面と、
ｂ．反射面と、
前記暗色の表面又は反射面の一方の上に乗った飛翔虫を殺すための前記暗色の表面又は反射面の一方の上の殺虫剤とを含み、
前記反射面は黒色の鏡、プレキシガラス、反射塗料、及びガラスからなる群から選択される鏡面反射面であり、前記暗色の表面は開口部の見掛けを提供する、
誘引ステーション。
【請求項２】
前記暗色の表面及び反射面の略下に配置された誘引剤ハウジングと組み合わされた請求項１に記載の誘引ステーション。
【請求項３】
前記暗色の表面が、実質的に黒色である、請求項１に記載の誘引ステーション。
【請求項４】
前記暗色の表面の一部が外へ延在して、誘引剤の保持に適合したキャビティを形成する、請求項１に記載の誘引ステーション。
【請求項５】
前記暗色の表面の下に配置された除去可能なハウジングをさらに含み、前記ハウジングは、前記ハウジングに隣接する表面及び前記ハウジングより上の表面の周辺に誘引剤のプルームを提供する誘引剤の保持に適合している、請求項１に記載の誘引ステーション。
【請求項６】
飛翔虫を殺すための、壁取付け型誘引ステーションであって、
暗色の表面によって少なくとも部分的に縁取られた、少なくとも一つの略平面状の反射面と、
前記反射面から外へ延在して壁から離れて位置する、前記暗色の表面の少なくとも一部と、
前記反射面上に乗った飛翔虫を殺すための、一つ以上の前記表面上の殺虫剤と
を含む、壁取付け型誘引ステーション。
【請求項７】
居住区のハエを殺すための誘引ステーションであって、
開口部の見掛けを提供する反射面と、
前記反射面に隣接し、かつ前記反射面から少なくとも部分的に外に位置する暗色の表面と、
前記反射面上に乗ったハエを殺すための、前記暗色の表面上の殺虫剤と
を含む、誘引ステーション。
【発明の詳細な説明】
【技術分野】
【０００１】
本発明は、一般に、短時間内に、建造物に入る又は建造物の外部周辺に存在する飛翔虫を誘引し、及び殺すために、建造物の外部又は内部で使用するための、飛翔虫誘引ステーション、及び特に装置に関する。
【背景技術】
【０００２】
多くの設計のハエトラップが商業的に入手可能であり、いくつかは、色のついた光を使用して、飛翔虫、例えばハエ又はこれらと同種のものを、構造体上又はエンクロージャー内へと誘引して、そこにおいて捕獲し、及び／又は固体若しくは気体の形態の殺虫剤によって殺す。しかしながら、これらの設計は、短時間で、ハエを誘引し、及び殺すことにおいて、わずかに効果的であるのみであることが分かった。時間は、一般に、ハエが領域、例えば建造物の内部又は外部の領域に入る瞬間から、ハエが誘引されて抑制手段によって殺されるまで測定される。
【発明の概要】
【発明が解決しようとする課題】
【０００３】
従って、短縮した時間内に、飛翔虫を誘引し、及び殺すことにおいて、効果的であるという特徴を有する、誘引ステーションを提供することが望ましい。
【０００４】
更に、建造物の内部及び外部のいずれかで使用するための、壁取付け型誘引ステーションを提供することが望ましい。
【課題を解決するための手段】
【０００５】
一実施形態において、本発明は、飛翔虫、例えば居住区のハエを殺すための、誘引ステーションである。ステーションは、実質的に暗色であり、及び実際上実質的に反射性であり、開口部の見掛けを提供する、少なくとも一つの表面を含む。表面上に乗った飛翔虫を殺すために、殺虫剤が表面上に含まれる。好ましい形態において、ステーションは、表面の略下に配置された誘引剤ハウジングと組み合わせて使用する。ハウジングは、誘引剤を保持することに適しており、ハウジングに隣接する表面、及びハウジングより上の表面の周辺に、誘引剤のプルーム（plume）を提供する。表面は、実質的に黒色であり、並びに反射ラミネート、鏡、プレキシガラス、反射塗料、及びガラスから本質的になる群から選択される反射面を含む。
【０００６】
他の実施形態において、本発明は、飛翔虫を殺すための、壁取付け型誘引ステーションである。ステーションは、暗色の表面によって少なくとも部分的に縁取られた、少なくとも一つの略平面状の反射面を含む。暗色の表面の少なくとも一部は、反射面から外へ延在して、その一部は壁から離れて位置する。反射面の辺りに乗ったハエを殺すために、一つ以上の表面上に殺虫剤が含まれる。好ましい形態において、ステーションは、暗色の表面に誘引剤のプルームを提供するために、反射面から外へ延在する暗色の表面の部分の下に、少なくとも部分的に囲まれた、誘引剤ハウジングを含む。
【０００７】
他の実施形態において、誘引ステーションは、開口部の見掛けを提供する反射面と、反射面に隣接し、及び反射面から少なくとも部分的に外に位置する暗色の表面と、反射面の辺りに乗ったハエを殺すための、暗色の表面上の殺虫剤とを含む。好ましい形態において、暗色の表面は、反射面を囲むハウジングであり、ハウジングは、ハウジングを壁に取り付けることと、反射性及び暗色の表面を略垂直状に配向することとに適した、略平面状の表面を有する。
【０００８】
他の実施形態において、誘引ステーションは、略反射性の表面を有する第一の部分を有する、略暗色のパネルと、第一の部分に対して隆起したステージ状の第二の部分と、パネルの第一の部分の辺りに乗った飛翔虫を殺すための、第一の部分を囲む表面上の殺虫剤とを含む。第二の部分は、第二の部分の周辺にプルームを提供するために、誘引剤を有する、隆起した第二の部分の略下に配置された、誘引剤ハウジングを含んでもよい。誘引剤ハウジングは、第二の部分によって少なくとも部分的に形成されておりパネルの第一の部分の下にある。
【０００９】
他の実施形態において、誘引ステーションは、壁に対して取付けることに適するパネルと、略垂直状の表面を有するパネルの外向き部分とを含む。誘引剤ハウジングは下に配置され、パネルの外向き部分及び垂直面に誘引剤のプルームを提供し、殺虫剤はパネルの少なくとも一部の上にある。好ましい形態において、外向き部分は実質的に暗色であって殺虫剤の一部を含んでおり、略垂直状の表面は反射性である。
【００１０】
本発明の他の側面において、飛翔虫を殺すシステムを開示する。システムは、飛翔虫を誘引する光源を備えるハウジングを有する虫抑制装置を含む。ハウジングから分離しており実質的に暗色である表面は、飛翔虫が上に乗るための虫抑制装置と接触しているか、又は略近接している。虫抑制装置と組み合わせて使用する表面は、いずれかを単独で使用するよりも、大きな相乗効果を有する。
【００１１】
本発明の他の側面において、虫抑制装置の捕獲率を増加させる方法を開示する。これは、虫抑制装置をある場所に置くことと、パネルを実質的に暗色とし虫抑制装置から分離することと、パネルを、虫抑制装置と接触して、又は虫抑制装置に近接して、その場所に置くこととによる、少なくとも一つの方法で達成される。
【図面の簡単な説明】
【００１２】
【図１Ａ】図１Ａは、本発明の例示的な特徴及び側面の説明である。
【図１Ｂ】図１Ｂは、本発明の例示的な特徴及び側面の説明である。
【図１Ｃ】図１Ｃは、本発明の例示的な特徴及び側面の説明である。
【図２】図２は、本発明の例示的な実施形態による誘引ステーションの正面図である。
【図３】図３は、図２に説明したステーションの背面図である。
【図４】図４は、経過時間１時間後の、様々な飛翔虫トラップの効果を説明する棒グラフである。
【図５】図５は、経過時間１時間後の、本発明の様々な特徴のノックダウン効果を説明する棒グラフである。
【図６】図６は、ステーションの配置による、１時間後の死亡率効果を説明する棒グラフである。
【図７】図７は、本発明の他の例示的な側面の説明である。
【図８】図８は、本発明の他の例示的な実施形態の、１時間後の死亡率効果を説明する棒グラフである。
【図９】図９は、パネルサイズの変化から生ずる、捕獲率の変化を説明するプロットである。
【図１０】図１０は、パネルと昆虫抑制手段との間の距離の変化から生ずる、死亡率の変化を説明するプロットである。
【発明を実施するための形態】
【００１３】
図１Ａ〜Ｃは、本発明の例示的な特徴及び概念を図によって記載する。本発明の好ましい実施形態の意図は、短縮した又は有限の時間内で、建造物の外部又は内部に、飛翔虫を誘引し、及び殺す、両方の特徴を提供することである。時間は、一般に、ハエが領域、例えば建造物の内部若しくは外部の領域に入ったときから、ハエが誘引ステーションによって誘引され、及び殺されるまで測定する。
【００１４】
短縮した時間内に、飛翔虫、例えば居住区のハエ、ショウジョウバエ、汚物バエ等を誘引し、及び殺すための、本発明の例示的な特徴、及び側面を、図１Ａ〜Ｃにおいて説明する。例えば、図１Ａは、本発明の飛翔虫ステーション１０の例示的な実施形態を説明する。飛翔虫ステーション１０は、略平面状であって、及びいくらかの反射性、好ましくは鏡面反射性を提供する表面の構成を有する、第一のパネル１２を含む。第一のパネル１２の必要な反射性を提供するために、第一のパネル１２は、鏡面反射性を提供する反射材料を含む。例えば、反射材料としては、プレキシガラス、ガラス、鏡、反射塗料、反射フィルム／ラミネート等が挙げられる。鏡面反射性を提供する他の材料及び表面も本発明で想定される。第一のパネル１２はまた略平面状であって、及び表面の反射性のため、開口部又は孔の見掛けを提供する。研究室、及び様々な場所で行った野外調査はどちらも、ハエが、潜在的な繁殖源に導く開口部、孔、入口、及び出口に誘引され、及びその近くに着地することを示した。雄のハエ及び雌のハエはどちらも、開口部の前の地面上の、並びに開口部の内側及び外側のエッジ及び表面上の、開口部において見られることが観察された。したがって、第一のパネル１２の反射面は、開口部又は孔の見掛けを提供して、飛翔虫を、第一のパネル１２の辺りに乗るよう誘引し、及び誘い込む。
【００１５】
第一のパネル１２は、壁に取付け可能なように構成してもよい。壁上で、第一のパネルを垂直に配向するか、又は壁と平行にする。第一のパネル１２は、第一のパネル１２の表面が、壁などの取付面から離れて上がる程度に、いくらかの奥行きを含んでもよい。第二のパネル１４は、第一のパネル１２と組み合わせて用いる。第二のパネル１４は、飛翔虫が第一のパネル１２の辺りに乗るための表面を提供する。第一及び第二のパネル１２及び１４は、一体的な構成要素でもよく、又は互いに隣接して取付け可能な、分離したパネルであってもよい。第二のパネル１４の表面が壁などの取付面から離れて上がる程度に、第二のパネル１４は十分な奥行きを含んでもよい。第二のパネルの表面が、第一のパネル１２の表面よりも、取付面から外へと更に延在するように、第二のパネル１４の奥行きが、第一のパネル１２の奥行きを超えてもよい。第一のパネル１２の表面、及び第二のパネル１４の表面が、略同じ平面を占有するように、第一及び第二のパネル１２及び１４を、略同程度の奥行きで構成してもよい。第二のパネル１４は、その奥行きを通して中空であってもよく、又は表面の下に囲まれたキャビティを含んでもよい。第二のパネル１４の表面は、好ましくは暗色である。一実施形態において、第二のパネル１４の表面は、実質的に黒色であり、好ましくは光沢、又は高光沢である。野外及び研究室での研究はどちらも、建造物への入口又は開口部の近くに置いた暗色の物体が、ハエを、第二のパネル１４の表面上へと誘引して、第一のパネル１２の辺りに乗せることができることを示し、第一のパネル１２の表面は、開口部又は孔の見掛けを有する。研究は、入口又は開口部の近くに隣接する暗色の表面が、ハエが領域へ頻繁に行く好ましい拠点となり、結果として予測可能な着地地点となることを示した。図４によって更に説明するように、暗色のもの又は暗色の物体の装置は、短時間内に、誘引し、及び高い死亡率を達成することにおいて、他のハエ抑制装置よりも効果的であった。
【００１６】
図１Ｂ及び１Ｃにおいて説明するように、第三のパネル１８を、第二のパネル１４と同様に、第一のパネル１２より上に配置するよう、飛翔虫ステーションの構成を変更してもよい。第二のパネル１４、及び第三のパネル１８は、飛翔虫が第一のパネル１２の辺りに位置する、又は乗るための、更なる空間を提供する。同様に、図１Ｃに示す飛翔虫ステーション１０は、枠と同様に、第一のパネル１２を略囲んで、飛翔虫が第一のパネル１２の辺りに位置する、及び乗るための、充分な空間を提供する、第四のパネル２０の設計を説明する。研究室及び野外環境で行った調査及び研究は、ハエ、特に雄のハエが、領域内のハエの数に依存して、表面上で、間隔を空けて並ぶことを示した。パネルの、より混んだ又は過密な領域において、最適な間隔を提供するために、図１Ｂ及び１Ｃにおいて説明する実施形態においては、更なる表面領域を提供する。図１Ａにおいて説明する、第一及び第二のパネル１２及び１４の表面領域の量の変更は、図１Ｂ及び１Ｃに示すように考えられる。図１Ｂにおける第二及び第三のパネル１４及び１８は、第一のパネル１２と一体的に、又は第一のパネル１２から分離して、構成してもよい。第二のパネル１４、及び第三のパネル１８が、第一のパネル１２に隣接して、及び／又は第一のパネル１２の周りに配置されるように、パネルの集合を、自立させてもよく、又は壁などの取付面に取り付けてもよい。同様に、第一のパネル１２を囲む第四のパネル２０が、一体的に接続した、又は分離した構成要素となるように、図１Ｃを構成してもよい。図１Ａ〜１Ｃにおいて説明する実施形態において、パネルの一つ以上を、交換可能、再生可能、修復可能、又は補充可能であるように、構成してもよい。最も広い意味において、図１Ａ〜１Ｃに説明する飛翔虫ステーション１０の構成は、２つの対照的な表面、例えば図１Ａに示す第一及び第二のパネル１２及び１４の表面が、居住区のハエを誘引して、第一のパネル１２の辺りに着地させ、及び乗せるための誘引機構を、どのようにして提供するかを説明する。
【００１７】
図１Ａ〜１Ｃにおいて説明する飛翔虫ステーション１０のそれぞれは、誘引剤１６を更に含んでもよい。研究室及び野外環境で行った調査及び研究は、ハエの育種材料に伴う匂いが、開口部又は入口にハエが乗ることを誘引し、及び達成するための、重要な要素であることを示した。誘引剤１６は、飛翔虫ステーション１０から分離した、補充可能な構成要素であってよい。誘引剤１６は、図１Ａに図示するように、第二のパネル１４の外表面の後ろのキャビティ内に配置してもよい。第二のパネル１４の奥行きによって、キャビティ又はハウジングは、誘引剤１６を受容するために、表面の下に形成してもよい。代替として、誘引剤１６を、飛翔虫ステーション１０の他の構成要素と一体的に構成され、又は使用中に除去可能なように取り付けられ、及び使用中でないとき若しくは補充が必要なときに除去されるハウジング内に収容してもよい。誘引剤１６、又は誘引剤１６を保持するハウジングは、図１Ｂにおいて説明するように、第二のパネル１４の下の位置に置いてもよく、又は図１Ｃにおいて説明するように、第二のパネル１４の表面上に置いてもよい。好ましくは、誘引剤の源からのプルームが、飛翔虫ステーション１０の、第一のパネル１２の周囲又は辺りのステージ状表面を囲む、又はそのステージ状表面に隣接して存在するように、誘引剤１６を、図１Ａにおける第二のパネル１４、図１Ｂにおける第二のパネル１４、及び図１Ｃにおける第四のパネル２０に対して配置する。
【００１８】
誘引剤を置く飛翔虫ステーション１０内のハウジングによって、又はキャビティによって、誘引剤１６を保護してもよい。飛翔虫ステーション１０の、ハウジング内、又はキャビティ若しくはエンクロージャー内に配置することは、屋外での飛翔虫ステーション１０の使用に対して、誘引剤１６を保護するのに役立つ。誘引剤１６は、好ましくは、源から立ち上り、飛翔虫ステーション１０の周囲のエッジ及び表面への誘引剤プルームの生成を提供する程度に、典型的に高い含水量を含む、ハエが食料又は育種材料と知覚する媒体の一種である。様々な種類の誘引剤が商業的に入手可能である。入手できる誘引剤のうち、本発明では、少なくとも、水蒸気を提供する程度に高い含水量を有し、飛翔虫、例えば居住区のハエを誘引する香気又は臭気を含む、有機的に腐敗した材料のような媒体の使用が考えられる。調査及び研究は、図５に示すように、上記の特徴の組合せ、すなわち、反射面を有する第一のパネル１２と、暗色の表面を有する第二のパネル１４と、誘引剤との組合せが、１時間の経過時間内で、高いパーセントでのハエのノックダウンを達成することを示した。
【００１９】
誘引剤１６の匂いを生ずる母材は、固体又は液体の形態とすることができる。いずれの形態も、必要に応じて、補充可能、又は再生可能であるように、構成することができる。誘引剤１６は、ステーション１０の修復可能な特徴とすることができる。好ましくは、誘引剤１６は、飛翔虫が魅力的であると分かり、及び長時間、例えば１ヵ月以上、臭気の生産を維持する、臭気を生ずる母材から成る。誘引剤１６は、上記に示すように、母材の処方の一部として水を含む。水分は、臭気の生産を再生する又は補充するまでの経時的な添加物として計量することができる。
【００２０】
図１Ａ〜１Ｃにおいて説明する飛翔虫ステーション１０の更なる特徴は、飛翔虫ステーション１０の表面の一つ以上に適用する、抑制手段、例えば殺虫剤（pesticide）（例えば殺虫剤（insecticide））及び／又は餌を含む。図１Ａ〜１Ｃにおいて説明する抑制手段２２は、飛翔虫ステーション１０の修復可能な構成要素であってよい。抑制手段は、固体、半固体、半粘性、又は液体の形態であってよく、抑制手段は、飛翔虫ステーション１０のパネル又はその付近の空気中に分配した気体の形態であってもよい。抑制手段は、接触型殺虫剤、例えば使用することができる入手可能な抑制手段の種類が、工業に特有の規則によって制限される、食糧サービス産業、又は他の産業用において許容できるものであってよい。抑制手段は、好ましくは対象のハエに対して即効性、例えば所望の６０分以内にハエを殺すことを提供する。抑制手段は、好ましくは、３０日間以上持続する残留効果もまた有する。抑制手段は、交換可能、又は補充可能であってもよく、例えば、抑制手段は、飛翔虫ステーション１０の修復可能な構成要素を含む。抑制手段２２は、飛翔虫ステーションの表面の一つ以上、好ましくは、第一のパネル１２の辺りの、ハエが集まる又は乗る表面に適用してもよい。抑制手段２２は、スプレー塗布によって、飛翔虫ステーション１０の表面の一つ以上に適用してもよい。抑制手段２２は、飛翔虫ステーション１０の表面の一つ以上の上に、ブラッシングしてもよく、又は拭いてもよい。抑制手段２２は、好ましくは持続性で持続放出性の接触型殺虫剤、具体的には屋内又は内部で使用するための表面殺虫剤である。抑制手段２２の効果は、飛翔虫ステーション１０の実際の実施及び使用まで、維持してもよい。例えば、飛翔虫ステーション１０を実施するまで、剥離する又は剥落する外装を用いて、抑制手段２２を封止及び保護してもよい。抑制手段２２は、飛翔虫ステーション１０の一体的な構成要素であってよく、又は飛翔虫ステーション１０の全体を置換することなく交換可能な、若しくは補充可能な、分離した構成要素であってもよい。例えば、抑制手段２２は、３０日間持続する残留効果を有してもよく、３０日の期間が満了したとき、新しい抑制手段と交換してもよい。
【００２１】
本発明の他の側面において、抑制手段２２は、殺虫剤の処方中に含まれる、又は殺虫剤処理の上部に適用された、餌部分を含んでもよい。餌は、好ましくは、ハエが吻を伸ばして摂取しようとする、食物源、又は摂食刺激物質、例えば糖である。餌は任意の構成要素であるが、餌は、摂取を刺激することによって、殺虫剤の速度を強化することが知られている。抑制手段２２を含む飛翔虫ステーション１０の表面は、粘着性又は接着性の特徴を含んで、接触の時間を増加させてもよい。本発明の好ましい側面において、ハエが飛翔虫ステーション１０の被覆した表面の一つ以上に着地したときに、ハエの足上の味覚受容体が糖の存在を認識し、ハエが吻を開いて摂取するように、抑制手段２２、例えば殺虫剤は、餌、例えば糖を含む。その作用は、ハエに、糖と混合した殺虫剤を摂取させ、迅速な死に至らしめる。
【００２２】
図１Ａ〜１Ｃにおいて説明する飛翔虫ステーション１０は、垂直な表面、例えば壁に取付け可能であるように好ましくは構成し、それによって、少なくとも第一のパネル１２を、壁と垂直又は平行に配向し、壁から間隔を開けて離す。取付面、又は壁は、好ましくは固体表面である。図６は、室内にステーション１０を配置することに基づいて、飛翔虫ステーション１０に１時間露出した後の死亡率効果を説明する。本発明の好ましい実施態様において、飛翔虫ステーション１０は、床から約１〜３フィート（３０．４８〜９１．４４ｃｍ）、又は１〜８フィート（３０．４８〜２４３．８４ｃｍ）の壁の上の、垂直な位置に置く。飛翔虫ステーション１０の水平方向の配置、例えば天井上は、結果として所望の効果にならず、飛翔虫ステーション１０の好ましい取付け配置ではない。
【００２３】
上記で焦点を当てた特徴のそれぞれは、有限の時間内で、飛翔虫を誘引し、及び殺すことについて、累積的な効果を提供する。いくつかの特徴は、短時間内に、ハエが第一のパネルの辺りに乗るよう誘引することについて、他の特徴より効果的である。図５は、飛翔虫ステーション１０の、様々に考えられる及び例示的な特徴の効果を説明する。単に例のため、一定量の古い媒体を含む白色の誘引剤管を備える黒色パネルを有する対照物を使用した。対照物は殺虫剤を含まず、１時間の露出中にハエを殺すことにおいて、ごくわずかな効果しか示さなかった。試験は、誘引剤を有する白色のパネルが、白色のパネルのみよりも、わずかに効果的であることを示した。白色のパネル、鏡などの反射面、及び誘引剤は、鏡などの反射面と組み合わせた白色のパネルよりも、少なくとも１０％良好であった。黒色の表面を含む飛翔虫ステーションは、誘引剤と組み合わせても、又は鏡などの反射面と組み合わせても、前述のものを超える大きな改善を示した。黒色の表面、鏡などの反射面、及び誘引剤を含む飛翔虫ステーションは、１時間以内に、より高いパーセンテージでハエをノックダウンすることにおいて、最も効果的であることが証明された。図５において説明する様々な例における、抑制を提供するための共通の特徴として、殺虫剤を使用した。更なる調査及び研究は、一般的なハエの行動（例えば、不快にさせる、繁殖する、素早く飛ぶ／追いかける、低空の探査飛行、中空の探査飛行、及び飛び去る行動）にとって、第一のパネル、例えば反射面を囲む、又はこれに隣接する、飛翔虫ステーションの一つ以上の表面の辺りに、ハエが乗るよう誘引し、及び誘い込むことにおいて、上記に特定した特徴が最も効果的であることを示した。
【００２４】
図２〜３は、本発明の飛翔虫ステーション１０の、他の例示的な実施形態を説明する。図２は表側の正面図を示し、図３は飛翔虫ステーション１０の裏側の正面図を示す。飛翔虫ステーション１０は、略内向きにテーパーが付いた表面を有しており、及び飛翔虫ステーション１０に奥行きを提供する枠部分２４を含む。枠２４の表面形状は、テーパー、曲面、平面、又は他の所望の形状であってよい。枠の裏側は、略平面状又は単一の平面で存在する外側周辺エッジ３４（図３において説明する）を含む。エッジ３４は、飛翔虫ステーション１０を、垂直面、例えば壁に対して面一に置くことを可能にする。枠２４は、壁と飛翔虫ステーション１０の他の表面との間に、奥行きを提供する。飛翔虫ステーション１０は、第二の表面２８より上で、外側周辺エッジ３４から外へ延在する、第一の表面２６を含む。枠２４、及び第一の表面２６は、好ましくは暗色、例えば黒色である。キャビティ３６は、図３に最も良く示すように、第一の表面２６の裏側の下に構成する。キャビティ３６は、誘引剤、例えば図１Ａ〜１Ｃにおいて説明する誘引剤１６を支持する、又は保持するための手段を含んでもよい。誘引剤は、すでに述べたように、飛翔虫ステーション１０の、修復可能な、補充可能な、再生可能な、又は消費可能な部分であってよい。飛翔虫ステーション１０の表面の一つ以上、例えば第一の表面２６に隣接する表面は、ベント３２を含んで、誘引剤のプルームが、キャビティ３６に隣接する、及びキャビティ３６より上の表面を囲むことを可能にしてもよい。第二の表面２８は、好ましくは上述したものと同様の反射面である。飛翔虫ステーション１０の外表面の一つ以上は、第二の表面２８又は枠２４の上の第一の表面２６の辺りに乗った飛翔虫を殺すための、抑制手段３０、例えば殺虫剤を含んでもよい。誘引剤と同様に、抑制手段３０は、飛翔虫ステーション１０の、補充可能な、再生可能な、表面可能な、又は消費可能な部分であってよい。飛翔虫ステーション１０の外側周辺エッジ３４は、第一の表面２６及び第二の表面２８を、壁などの取付面に対して、略垂直状に配向する。壁に取付け可能であることに加えて、ステーション１０は、自立型の装置として構成してもよい。
【００２５】
上記のように、飛翔虫ステーション１０は、誘引剤を用いずに使用してもよく、又は誘引剤は、飛翔虫ステーション１０の分離した構成要素であってよく、例えば飛翔虫ステーション１０の近くに置く、若しくは取り付ける、自立型の構成要素であってもよい。飛翔虫ステーション１０は、飛翔虫ステーション１０の全体を消費可能にでき、並びに抑制手段及び／又は誘引剤の効果がその残留効果を失った後に新しいものと交換可能にできるように、経済的に実行可能な材料から構成してもよい。図２〜３において説明する飛翔虫ステーションは、上記で述べた特徴の一つ以上を、単独で又は各々と組み合わせて、一体的に又は互いに分離して、含んでもよい。例えば、第一の表面２６は、抑制手段及び／又は誘引剤から分離した構成要素である第二の表面から分離した構成要素であってもよい。好ましくは、飛翔虫ステーション１０は、新しい構成要素によって補充可能である、再生可能である、修復可能である、又は交換可能であるというステーションの特徴の一つ以上を有するパネル又は枠の形状で構成する。飛翔虫ステーション１０は、屋内又は屋外のいずれかで使用するために構成してもよい。例えば、屋内の用途は、多くの場合、工業に特有の規則を遵守することが必要である。屋内の使用について、例えば食糧サービス産業又は他の適切な産業について許可された誘引剤及び抑制手段は、いずれも、前記のように、飛翔虫ステーション１０に使用してもよい。これらの特徴は、上記に特定した行動の一つ以上、又は食物若しくは育種材料の存在に起因して、入口、窓、ハエが蓄積する若しくは集まるところ、又はこれらの近くに、飛翔虫ステーション１０を配置することを可能にする。天気及び他の屋外の要素への露出から、誘引剤及び／又は抑制手段を保護するように、より強い誘引剤を含むこと、装置のサイズ及び／又は装置の形状の構成を増加することによって、飛翔虫ステーション１０を、屋外の使用のために構成してもよい。飛翔虫ステーション１０を構成するために用いる材料は、耐候性、耐ＵＶ性、及び耐熱性であってよい。いくつかの屋外の環境においては、例えば、短縮した時間内に、ハエの抑制を提供するために、飛翔虫ステーション１０の表面の一つ以上にハエを誘引するための誘引剤を用いずに、飛翔虫ステーション１０を置いてもよい、繁殖する又は誘引する場所が存在する。
【００２６】
図７は、本発明の他の例示的な側面を説明する。図７は、飛翔虫ステーション１０、例えばすでに説明したものを説明する。ステーション１０は、好ましくは暗色の、例えば黒色のパネルの形態で構成してもよい。上記のように、ステーションは、パネルの中に一体化した、又はパネルから分離した構成要素としての、反射部分を含んでもよい。反射部分は、開口部又は孔の見掛けを提供する鏡面反射性を提供する。パネル及び反射部分の配置は、前記のように構成してもよい。ステーション１０は、反射部分を有しないパネルのみで構成してもよい。パネルは、様々な形状、及びサイズとしてもよく、好ましくは暗色、例えば黒色である。ステーション１０のステージ状の領域（例えば表面）の周辺に立ち上がる、誘引剤のプルームを提供するために、ステーション１０は、反射部分及び誘引剤に加えて、例えばハウジングの中に置かれたキャビティ又はエンクロージャーを含んでもよい。ステーション１０は、虫抑制手段３８に置き、虫抑制手段３８の近くに取り付け、虫抑制手段３８に取り付け、又は虫抑制手段３８に隣接して置く。本発明の例示的な側面によれば、虫抑制手段３８は、ハエ抑制装置、例えば持続性で持続放出性の接触型殺虫剤、例えば表面殺虫剤と組み合わせて、紫外線（「ＵＶ」）の光を利用する、虫トラップである。虫抑制手段３８は、殺虫剤（例えばグルーボード（glueboard））と共に、又は分離して、誘引剤（例えば餌）を含んでもよい。本発明の使用に適する虫トラップの更なる記載は、米国特許出願第１２／４７１，０８７号明細書（Ecolab USA Inc.）に定められており、引用により本明細書中にその全体が含まれる。餌及び／又は殺虫剤を含むことがある、他の虫トラップ、光放射型のトラップ、及び非光放射型のトラップのいずれも、ステーション１０と組み合わせて使用して、トラップの捕獲率、及び特に虫を図７のシステムに暴露してから一時間以内における捕獲率を増加させてもよい。虫抑制手段３８、例えば虫光トラップと連携して使用するハエ誘引ステーション１０の組合せを、建造物の内部又は外部で使用してもよい。虫抑制手段３８と組み合わせたハエ誘引ステーション１０の使用は、虫抑制手段３８の捕獲率を増加させる。新しい環境へと解放した後の飛翔虫の行動を観察し、この結論が導かれた。具体的には、解放後１時間の飛翔虫の最初の行動は、カテゴリー的に定義可能である。これらは、上記のように少なくとも部分的に、休止（例えば１０分以上飛ばずに一つの場所に落ち着く）、低空の探査（例えば床から１フィート（３０．４８ｃｍ）未満の遅い飛行）、中空の探査（例えば床から１〜６フィート（３０．４８〜１８２．８８ｃｍ）の飛行）、飛び去る（通常より迅速なペースでの、通常床から６フィート（１８２．８８ｃｍ）より高い、迅速な飛行）、素早く飛ぶ／追いかける（主に、飛びながら雌のハエと交尾しようとする雄のハエの行動。飛行経路の近くの表面上に乗る雄のハエ、及びハエを追い越した後の素早い飛行）、繁殖（主に、可能性のある育種材料内の、及び育種材料上の、雌のハエの行動）、及び不快にさせる（領域内の人の近く及び／又は上にいるハエの行動）などの行動を含む。飛翔虫が最初に新しい領域に解放されたとき、通常、ハエが解放点の近くにとどまり、及び周りの領域を探査し始める、順応の期間がある。導入されたハエは、一時的に周りを探査する「拠点」を確立することがある。拠点は、ハエが探査する際にそこから出て、及び探査飛行の終了時に戻ってくる一般的な領域である。不快にさせる行動は、拠点が人のときであり、人が新しい場所へ移動してもなお、ハエが、人に又は人の近くに繰り返し着地するときである。探査飛行は、必ずしもランダムであるというわけではない。飛行する際に、探査しているハエは、暗色の物体及び暗色の表面に誘引されるようである。ハエは、暗色の物体の方へ、暗色の物体の近くに繰り返して、及び暗色の物体の周辺を、飛行する。ハエは、開口部、及び暗く、へこんだ領域を活発に探査する。ハエは、動き、例えば人の活動が見られるところへと、活発に飛ぶ。休止場所もまた、必ずしもランダムであるというわけではない。ハエは、広い視野のある休止場所を好む傾向がある。ハエは、暗色の表面上に、より頻繁に着地することがあるが、しかしながら、これは必ずしも著しい傾向、又は一般的な規則であるというわけではない。
【００２７】
ステーション１０の例示的な配置、及び図７に示す虫抑制手段３８（例えば虫光トラップ）の試験を行った。本発明の一つの側面によれば、暗色、例えば黒色の要素、例えばパネルを、飛行室内で、虫抑制手段３８と組み合わせて用いる。図８は、虫抑制手段３８の近くに暗色を追加することで観察された、増加した捕獲率を明示する棒グラフを説明する。図８に示す図の最初の２つの棒は、虫抑制手段３８（例えば虫トラップの囲い）が暗色、例えば黒色である場合、そうでないものと比較して、捕獲率がほとんど２倍に増加することを説明している。暗色の虫抑制手段３８を、鏡のような反射面とともに使用する場合、又は誘引剤、例えば臭気若しくは餌と組み合わせて使用する場合、１時間での死亡率パーセンテージは増加し続けた。図８に示す図のその後の棒は、暗色のパネルを、虫抑制手段３８、例えば虫光トラップと組み合わせて用いた使用の例についての、１時間以内に起こった高い死亡率を示す。したがって、例えば、虫抑制手段３８と組み合わせた、図７で説明する暗色のステーション１０（例えば、パネル、表面、又はこれらと同種のもの）などの暗色の要素は、虫抑制手段３８の近くに置いても、虫抑制手段３８に取り付けても、又はそうでなければ虫抑制手段３８に隣接して置いても、図８に示すように、１時間以内における増加した死亡率を示した。
【００２８】
本発明では、図７において説明するステーション１０の一部としてのパネルを、様々なサイズ、及び形状に構成してもよいことが考えられる。好ましくは、パネルは、垂直面、例えば壁、天井、又は床に取付け可能である。研究室での試験を行い、虫抑制手段３８（例えば虫光トラップ）に隣接して置いた暗色のパネルの最適サイズを決定し、その結果を図９に説明するプロットに示した。パネルの表面積が、少なくとも約４００平方インチ（２５８０．６４ｃｍ２）の表面積まで増加するにつれて、プロットは捕獲率の著しい増加を示した。したがって、表面積が４００平方インチ（２５８０．６４ｃｍ２）を上回る暗色のパネルについて、捕獲率はいずれも著しい増加を示さなかった。研究室での試験を行い、虫抑制手段３８に対して、ステーション１０をどの程度近くに配置すべきであるかを決定した。図１０は、虫抑制手段３８（例えば虫光トラップ）に対して様々な距離で使用した、約４３２平方インチ（２７８７．０９ｃｍ２）の表面を有する暗色のパネルからの結果を説明する。暗色のパネルとステーションとの間の距離が最高３０インチ（７６．２ｃｍ）まで増加するにつれて、１時間以内に虫抑制手段３８によって捕獲されたハエのパーセンテージは、約半分に減少した。パーセント死亡率の最も高い効果は、図７に示すように、虫抑制手段３８を、ステーション１０の隣に、又は隣接して配置することによって実現した。したがって、結果は、図７に示す虫抑制手段３８（例えば虫光トラップ）に近接して置いたステーション１０のような暗色パネルが、捕獲率を著しく増加することができることを示した。１０インチ（２５．４ｃｍ）×１０インチ（２５．４ｃｍ）のサイズを有する暗色パネルでさえ、例えば、虫抑制手段３８と組み合わせて使用した場合、捕獲率を著しく増加することができた。
【００２９】
これまでに記載した飛翔虫ステーション１０は、上述した目的を満たすことに効果的に適しているが、本発明は、上記に開示し、及び定めた側面の、特定の好ましい実施形態に限定されることを意図しないことを理解すべきである。むしろ、本発明は、添付の特許請求の範囲の発明主題に対する全ての合理的な均等物を含むものとして理解すべきである。本発明の実施態様の一部を以下の項目［１］−［３０］に記載する。
［１］
飛翔虫を殺すための誘引ステーションであって、
ａ．実質的に暗色であり、及び
ｂ．実際上実質的に反射性であって、開口部の見掛けを提供する、
少なくとも一つの表面と、
前記表面上に乗った飛翔虫を殺すための前記表面上の殺虫剤と
を含む、誘引ステーション。
［２］
暗色の表面が、実質的に黒色である、項目１に記載の誘引ステーション。
［３］
反射面が、本質的に黒色の鏡、プレキシガラス、反射塗料、及びガラスからなる群から選択される、項目１に記載の誘引ステーション。
［４］
前記表面が、壁取付け型のパネルの一部を形成している、項目１に記載の誘引ステーション。
［５］
反射面が、暗色の表面によって少なくとも部分的に縁取られた、項目１に記載の誘引ステーション。
［６］
暗色の表面の少なくとも一部分が反射面から外へ延在しており、前記部分が取付面から離れて位置する、項目１に記載の誘引ステーション。
［７］
周囲表面の周辺に誘引剤のプルームを提供するため、反射面から外へ延在する前記暗色の表面の前記部分の下に、少なくとも部分的に囲まれた誘引剤ハウジングを更に含む、項目６に記載の誘引ステーション。
［８］
略暗色のパネルを含む、飛翔虫を殺すための誘引ステーションであって、前記パネルが、
ａ．略反射性の表面を含む第一の部分と、
ｂ．第一の部分に対して隆起したステージ状の第二の部分と、
ｃ．前記パネルの第一の部分の辺りに乗った飛翔虫を殺すための、第一の部分を囲む表面上の殺虫剤と
を有する、誘引ステーション。
［９］
前記パネルが、隆起した第二の部分の略下に配置された誘引剤ハウジングを含む、項目８に記載の誘引ステーション。
［１０］
前記パネルの周囲部分の周辺に誘引剤のプルームを提供する前記ハウジング内の誘引剤を更に含む、項目９に記載の誘引ステーション。
［１１］
前記誘引剤ハウジングは、第二の部分によって少なくとも部分的に形成されており第一の部分より下にある、項目８に記載の誘引ステーション。
［１２］
シナントロープなハエを殺すための誘引ステーションであって、
壁に対して取り付けることに適するパネルと、
略垂直状の表面を有する、前記パネルの外向き部分と、
前記外向き部分に配置され、前記パネルの辺りに誘引剤のプルームを提供する、誘引剤ハウジングと、
前記パネルの少なくとも一部の上の殺虫剤と
を含む、誘引ステーション。
［１３］
前記外向き部分が実質的に暗色であり前記殺虫剤の一部を含む、項目１２に記載の誘引ステーション。
［１４］
略垂直状の表面が反射面である、項目１２に記載の誘引ステーション。
［１５］
前記殺虫剤が餌を含む、項目１２に記載の誘引ステーション。
［１６］
飛翔虫を殺すためのシステムであって、
飛翔虫を誘引するための光源を備えるハウジングを有する虫抑制装置と、
前記ハウジングから分離した表面であって、実質的に暗色であり、飛翔虫が前記表面上に乗るために、前記虫抑制装置と接触している、又は前記虫抑制装置に略近接している、表面と、
を含んでおり、
ここで、前記虫抑制装置と組み合わせた前記表面は、単独で使用するよりも大きな相乗効果を有している、システム。
［１７］
前記表面は、開口部の見掛けを提供するための反射部分を含む、項目１６に記載のシステム。
［１８］
前記虫抑制装置が、殺虫剤、及び誘引剤を含む、項目１６に記載のシステム。
［１９］
前記表面が、表面上に乗った飛翔虫を殺すための殺虫剤を含む、項目１６に記載のシステム。
［２０］
前記表面に配置された誘引剤ハウジングを更に含む、項目１６に記載のシステム。
［２１］
前記表面が、壁取付け型のパネルの一部を形成している、項目１６に記載のシステム。
［２２］
飛翔虫を殺すためのシステムであって、
飛翔虫を誘引するための光源を備えるハウジングを有する虫抑制装置と、
前記ハウジングから分離したパネルであって、実質的に暗色であって開口部の見掛けを提供するための反射部分を有する、パネルと、
を含んでおり、
前記パネルは、飛翔虫が前記パネル上に乗るために、前記虫抑制装置と接触しており、又は前記虫抑制装置と略近接しており、
ここで、前記虫抑制装置と組み合わせた前記パネルは、単独で使用するよりも大きな相乗効果を有している、
システム。
［２３］
前記パネル、及び／又は前記虫抑制装置が、殺虫剤を含む、項目２２に記載のシステム。
［２４］
前記パネル、及び／又は前記虫抑制装置が、誘引剤を含む、項目２２に記載のシステム。
［２５］
反射部分が、前記パネルによって少なくとも部分的に囲まれている、項目２２に記載のシステム。
［２６］
虫抑制装置の捕獲率を増加させる方法であって、
前記虫抑制装置をある場所に置くことと、
パネルを実質的に暗色とし前記虫抑制装置から分離することと、
前記パネルを、前記虫抑制装置と接触して、又は前記虫抑制装置に近接して、前記場所に置くことと
を含む、方法。
［２７］
前記虫抑制装置と組み合わせて用いた前記パネルからの相乗効果を使用して、虫捕獲率を増加させることを含む、項目２６に記載の方法。
［２８］
前記パネル及び前記虫抑制装置を、前記場所において壁に取り付ける、項目２６に記載の方法。
［２９］
前記パネル、及び／又は前記虫抑制装置に、誘引剤を配置することを含む、項目２６に記載の方法。
［３０］
前記パネル、及び／又は前記虫抑制装置とともに、殺虫剤を使用することを含む、項目２６に記載の方法。
【図１Ａ】
0006006303.tif 000002
【図１Ｂ】
0006006303.tif 000003
【図１Ｃ】
0006006303.tif 000004
【図２】
0006006303.tif 000005
【図３】
0006006303.tif 000006
【図４】
0006006303.tif 000007
【図５】
0006006303.tif 000008
【図６】
0006006303.tif 000009
【図７】
0006006303.tif 000010
【図８】
0006006303.tif 000011
【図９】
0006006303.tif 000012
【図１０】
0006006303.tif 000013